(57)【要約】  被制御装置を制御する外部機器（２００）からアラームを収集するアラーム収集処理部（１２２）と、アラーム収集処理部（１２２）により収集されたアラームのうち処置対象とするアラームの選択を受け付ける表示および操作部（１１０）と、選択されたアラームに対応付けられた電子データの格納場所を示す情報が２次元コード化された画像を表示および操作部（１１０）へ表示するアラーム表示操作処理部（１２１）と、を備える。
2017094051.tif 000002
【特許請求の範囲】
【請求項１】
表示部と、
被制御装置を制御する制御装置からアラームを収集するアラーム収集処理部と、
前記アラーム収集処理部により収集されたアラームのうち処置対象とするアラームの選択を受け付ける操作部と、
選択されたアラームに対応付けられた電子データの格納場所を示す情報が２次元コード化された画像を前記表示部へ表示する表示処理部と、
を備えることを特徴とするアラーム表示装置。
【請求項２】
前記２次元コード化された画像が電子化された画像ファイルである２次元コード画像ファイルと、前記２次元コード画像ファイルとアラームとを対応付ける対応情報と、を記憶する記憶部、
を備え、
前記表示処理部は、前記対応情報に基づいて前記選択されたアラームに対応する前記２次元コード画像ファイルを読み出して、前記表示部へ表示することを特徴とする請求項１に記載のアラーム表示装置。
【請求項３】
前記２次元コード化された画像が電子化された画像ファイルである２次元コード画像ファイルと、前記２次元コード画像ファイルとアラームとを対応付ける対応情報と、を記憶する記憶部、
を備え、
前記２次元コード画像ファイルは、１画素を１情報単位とする画像ファイルであり、
前記表示処理部は、前記２次元コード画像ファイルを読み出して、読み出した前記２次元コード画像ファイルに対応する画像を拡大して前記表示部へ表示することを特徴とする請求項１に記載のアラーム表示装置。
【請求項４】
外部の設定装置によって設定される前記アラーム表示装置の表示および動作を定義する作画データに基づいて動作するプログラマブル表示器であることを特徴とする請求項１から３のいずれか１つに記載のアラーム表示装置。
【請求項５】
前記電子データを記憶し、
前記電子データの格納場所を示す情報は、前記アラーム表示装置のアドレスと前記電子データの前記アラーム表示装置内の格納場所を示す情報とを含むことを特徴とする請求項１から４のいずれか１つに記載のアラーム表示装置。
【請求項６】
アラーム表示装置と、被制御装置を制御する制御装置と、携帯型端末とを備えるアラーム表示システムであって、
前記アラーム表示装置は、
表示部と、
前記制御装置からアラームを収集するアラーム収集処理部と、
前記アラーム収集処理部により収集されたアラームのうち処置対象とするアラームの選択を受け付ける操作部と、
選択されたアラームに対応付けられた電子データの格納場所を示す情報が２次元コード化された画像を前記表示部へ表示する表示処理部と、
を備え、
前記携帯型端末は、
前記２次元コード化された画像を撮影するカメラと、
前記カメラにより撮影された画像に基づいて２次元コードを復号して前記電子データの格納場所を取得する解読部と、
前記解読部により取得された前記電子データの格納場所から前記電子データを取得し、前記電子データに対応するアプリケーションを起動させるアプリケーション選択部と、
を備えることを特徴とするアラーム表示システム。
【請求項７】
前記アラーム表示装置は、前記電子データを記憶する記憶部を備え、
前記電子データの格納場所を示す情報は、前記アラーム表示装置のアドレスと前記アラーム表示装置内の前記電子データの前記アラーム表示装置内の格納場所を示す情報とを含むことを特徴とする請求項６に記載のアラーム表示システム。
【請求項８】
サーバ装置を備え、
前記サーバ装置は、前記電子データを記憶する記憶部を備え、
前記電子データの格納場所を示す情報は、前記サーバ装置のアドレスと前記サーバ装置内の前記電子データの前記サーバ装置内の格納場所を示す情報とを含むことを特徴とする請求項６に記載のアラーム表示システム。
【請求項９】
前記携帯型端末は、前記電子データを記憶する記憶部を備え、
前記電子データの格納場所を示す情報は、前記携帯型端末内の前記電子データの格納場所を示す情報を含むことを特徴とする請求項６に記載のアラーム表示システム。
【請求項１０】
アラームを収集する第１のステップと、
収集されたアラームのうち処置対象とするアラームの選択を受け付ける第２のステップと、
前記第２のステップで選択されたアラームに対応付けられた電子データの格納場所を示す情報を２次元コード化した画像を表示する第３のステップと、
を含むことを特徴とするアラーム表示方法。
【発明の詳細な説明】
【技術分野】
【０００１】
本発明は、制御装置から、該制御装置が監視対象の装置の異常または故障を検出したことにより生成されたアラームを取得して表示するアラーム表示装置、アラーム表示システムおよびアラーム表示方法に関する。
【背景技術】
【０００２】
工場に設備される各種製造装置には、ＰＬＣ（Programmable  Logic  Controller）をはじめとする各種制御装置が使用されている。こうした制御装置は、一般に、制御対象の製造装置の状態を監視し、異常および故障を検出すると、異常および故障を示す警報情報であるアラームを生成し、生成したアラームを制御装置内のデバイスメモリとよばれるメモリに格納する。【０００３】
特許文献１には、プログラマブル表示器が、ＰＬＣからエラーデータを取得し、取得したエラーデータをバイナリデータに変換してデータメモリに記憶し、エラーデータの表示を行う際にはデータメモリから読み出したバイナリデータを用いて２次元コードを生成して表示する技術が開示されている。特許文献１に記載の技術では、携帯電話が２次元コードを読み取ってエラーメッセージを表示することができ、これにより、プログラマバブル表示器のメモリ容量を抑えて、プログラマブル表示器から離れた場所のユーザに対してエラーメッセージを提示することができる。
【先行技術文献】
【特許文献】
【０００４】
【特許文献１】特許第４３６８７５２号公報
【発明の概要】
【発明が解決しようとする課題】
【０００５】
製造現場では、製造装置の異常または故障によりアラームが発生した場合、迅速な復旧が求められる。このとき、製造装置でどのような問題が起きており、復旧にはどのような作業が求められるかを把握するためには、仕様書、設計書およびアラームの復旧方法を示す作業手順マニュアルなどのドキュメントが必要となる。これらのドキュメントは電子化されている場合もある。アラームに対応する異常または故障からの復旧に必要なドキュメントなど、すなわちアラームに対応する障害または故障からの復旧のために用いられる情報を、以下トラブルシューティングコンテンツと呼ぶ。トラブルシューティングコンテンツには、ＣＡＤ（Computer  Aided  Design）ソフトウェアまたはワードプロセッサソフトウェアなどのパソコン上のソフトウェアで作成された情報が用いられることもある。【０００６】
特許文献１に記載の技術では、２次元コードで情報を表示するため、簡易な作業手順などのメッセージは表示可能であるが、仕様書および設計書などのドキュメント、およびパソコン上のソフトウェアで作成された情報を表示することは困難である。したがって、特許文献１に記載の技術を用いて、保全担当者などのユーザがトラブルシューティングコンテンツを参照する場合、アラームに対応するトラブルシューティングコンテンツがどこに格納されているかを検索する必要がある。このため、アラームに対応する障害または故障からの復旧を迅速に行えない可能性があるという問題がある。【０００７】
本発明は、上記に鑑みてなされたものであって、アラームに対応する障害または故障からの復旧のために用いられる情報を迅速にユーザに提示することが可能なアラーム表示装置を得ることを目的とする。
【課題を解決するための手段】
【０００８】
上述した課題を解決し、目的を達成するために、本発明にかかるアラーム表示装置は、表示部と、被制御装置を制御する制御装置からアラームを収集するアラーム収集処理部と、アラーム収集処理部により収集されたアラームのうち処置対象とするアラームの選択を受け付ける操作部とを備える。また、本発明にかかるアラーム表示装置は、選択されたアラームに対応付けられた電子データの格納場所を示す情報が２次元コード化された画像を表示部へ表示する表示処理部、を備える。
【発明の効果】
【０００９】
本発明にかかるアラーム表示装置は、アラームに対応する障害または故障からの復旧のために用いられる情報を迅速にユーザに提示することが可能であるという効果を奏する。
【図面の簡単な説明】
【００１０】
【図１】実施の形態にかかるアラーム表示システムの構成例を示す図
【図２】実施の形態のプログラマブル表示器のハードウェア構成例を示す図
【図３】実施の形態の設定装置の構成例を示す図
【図４】実施の形態の設定装置のハードウェア構成例を示す図
【図５】実施の形態の第１記憶部に記憶された作画データの内容例を示す図
【図６】実施の形態のアラームを表形式で表示する場合のアラーム表示部品の構成を示す図
【図７】実施の形態のアラーム表示部品に対する操作によりアラームが選択された後に表示および操作部に表示される画面の一例を示す図
【図８】実施の形態の２次元コードアラーム対応情報の構成例を示す図
【図９】実施の形態の２次元コードの方向を特定するための方向特定用マーカの一例を示す図
【図１０】図９に示した方向特定用マーカを含む２次元コード画像の一例を示す図
【図１１】実施の形態の表示および操作部における２次元コード画像表示処理手順の一例を示すフローチャート
【図１２】実施の形態の携帯型端末における２次元コード画像に対する処理手順の一例を示すフローチャート
【図１３】実施の形態のアラーム付加情報コンテンツを外部のＷｅｂサーバに格納する場合のアラーム表示システムの構成例を示す図
【図１４】実施の形態のアラーム付加情報コンテンツを外部の携帯型端末に格納する場合のアラーム表示システムの構成例を示す図
【発明を実施するための形態】
【００１１】
以下に、本発明の実施の形態にかかるアラーム表示装置、アラーム表示システムおよびアラーム表示方法を図面に基づいて詳細に説明する。なお、この実施の形態によりこの発明が限定されるものではない。
【００１２】
実施の形態．
図１は、本発明の実施の形態にかかるアラーム表示システムの構成例を示す図である。本実施の形態では、アラーム表示装置としてプログラマブル表示器１００を使用する例を説明する。図１に示すように、実施の形態のアラーム表示システム７００は、プログラマブル表示器１００と、ＰＬＣなどの制御機器でありアラームを生成して記憶する外部機器２００と、プログラマブル表示器１００に表示する画面を設定する設定装置２０２と、を備える。ここでは、外部機器２００がＰＬＣである例を説明する。外部機器２００は、工場などにおいて、被制御装置である製造装置を制御するとともに、製造装置の動作状態を監視し、製造装置の異常または故障を検出するとアラームすなわち警報情報を生成して外部機器２００内のメモリに記憶する。アラームは、異常または故障の内容を示す情報を含む。
【００１３】
図１に示す実施の形態のアラーム表示システムは、さらに、スイッチングハブ２０１と、スイッチングハブ２０１を介してプログラマブル表示器１００と接続される無線ＬＡＮ（Local  Area  Network）のアクセスポイントであるＡＰ（Access  Point）２０４と、ＡＰ２０４と無線接続可能な携帯型端末２０３と、を備える。携帯型端末２０３は、タブレット端末およびスマートフォンに代表される携帯可能な端末である。なお、図１では、外部機器２００および携帯型端末２０３をそれぞれ１つ図示しているが、外部機器２００および携帯型端末２０３のそれぞれの数は図１の例に限定されず、１つ以上であればよい。
【００１４】
なお、以下では、プログラマブル表示器１００が本発明にかかるアラーム表示装置として機能するために用いられる構成要素およびデータについて説明し、その他の一般的なプログラマブル表示器としての動作のために用いられる構成要素およびデータについては、一般的なプログラマブル表示器と同様であるため、記載を省略する。
【００１５】
図１に示すように実施の形態のプログラマブル表示器１００は、画面の表示と操作者からの操作の受け付け、すなわち入力の受け付けを行う表示および操作部１１０と、作画データ処理部１２０とを備える。表示および操作部１１０は、表示部でもあり操作部でもある。なお、表示および操作部１１０の替わりに、表示部と操作部とを備えてもよい。
【００１６】
作画データ処理部１２０は、プログラマブル表示器１００を動作させるプログラムの一部としての処理を行う処理部であり、後述する作画データ１５０を解釈し、表示処理、操作に対する応答処理などの処理を行う。作画データ処理部１２０は、外部機器２００からアラームを収集するアラーム収集処理部１２２を備える。アラーム収集処理部１２２は、具体的には、機器通信Ｉ／Ｆ（Interface）１１１を介して、外部機器２００のメモリを監視し、新たなアラームが生成された場合にメモリから該アラームを読み出すことによりアラームを収集する。アラームの収集方法はこれに限定されず、外部機器２００が新たなアラームを生成した場合に、プログラマブル表示器１００に送信するようにしてもよい。さらに、作画データ処理部１２０は、アラーム収集処理部１２２が収集したアラームを表示および操作部１１０に表示するための表示処理を行い、操作者により表示および操作部１１０が操作されることにより入力された情報を受け付けてアラーム表示操作処理部１２１へ渡す。なお、実際には作画データ処理部１２０には、タッチスイッチ、ランプといった各種オブジェクト部品の表示処理などを行うオブジェクトごとの処理部を有するが、これら処理部の処理は一般的なプログラマブル表示器と同様であるため、上述したように説明を省略する。
【００１７】
プログラマブル表示器１００は、さらに、ＨＴＭＬ（Hyper  Text  Mark-up  Language）およびＨＴＭＬと共に動作するスクリプト言語で記述されたコンテンツを配信するＷｅｂサーバ機能を提供するＷｅｂサーバ処理部１３０、を備える。また、プログラマブル表示器１００は、機器通信インタフェース（Ｉ／Ｆ）１１１、Ｅｔｈｅｒｎｅｔ（登録商標）インタフェース（Ｉ／Ｆ）１１２および上位通信インタフェース（Ｉ／Ｆ）１１３の３つの通信インタフェースを備える。機器通信Ｉ／Ｆ１１１は、外部機器２００と通信を行う。Ｅｔｈｅｒｎｅｔインタフェース１１２は、外部のＡＰ２０４などの情報機器とＥｔｈｅｒｎｅｔの規格に従った通信を行う。上位通信インタフェース１１３は、設定装置２０２と通信を行う。
【００１８】
プログラマブル表示器１００は、さらに、第１記憶部１１４および第２記憶部１１５を備える。第１記憶部１１４は、プログラマブル表示器１００に内蔵される不揮発性メモリである。第２記憶部１１５は、プログラマブル表示器１００から着脱可能なメモリである外部記憶媒体である。
【００１９】
第１記憶部１１４には、作画データ１５０が格納される。作画データ１５０は、表示および操作部１１０に画面を表示するためのデータであり、設定装置２０２により生成される。第２記憶部１１５には、２次元コード画像１５１、２次元コードアラーム対応情報１５２、アラームログファイル１５３およびアラーム付加情報コンテンツ１５４が格納される。
【００２０】
２次元コード画像１５１は、後述するようにトラブルシューティングコンテンツの格納場所を示す情報を２次元コード化して得られる画像である。トラブルシューティングコンテンツの格納場所を示す情報は、トラブルシューティングコンテンツが格納されている装置のアドレスと、該装置内のトラブルシューティングコンテンツの格納場所を示す情報とを含む。例えば、トラブルシューティングコンテンツの格納場所を示す情報は、トラブルシューティングコンテンツが格納されているＷｅｂサーバのアドレスおよびＷｅｂサーバ内のコンテンツのパスを示したＵＲＬ（Uniform  Resource  Locator）である。なお、トラブルシューティングコンテンツの格納場所は、コンテンツに対応するファイル名自体も含んでいてもよいし、コンテンツに対応するファイルが格納されるディレクトリまたはフォルダであってもよい。２次元コード画像１５１は、複数のトラブルシューティングコンテンツにそれぞれ対応する複数の２次元コード画像ファイルすなわち複数の画像データで構成される。２次元コードとしては、たとえばＱＲコード（登録商標）を用いることができるが、２次元コードを画像として表示することが可能なコードであればよくコードの種類は問わない。
【００２１】
２次元コードアラーム対応情報１５２は、２次元コードとアラームの種別との対応を示す情報であり、具体的には電子ファイルである。２次元コードアラーム対応情報１５２の具体例については後述する。アラームログファイル１５３は、外部機器２００から収集されたアラームが記録された電子ファイルである。アラーム付加情報コンテンツ１５４は、複数のトラブルシューティングコンテンツで構成される。トラブルシューティングコンテンツは、例えば、アラームが示す異常または故障を復旧させるために用いられる仕様書などのドキュメントが電子化された電子データすなわち電子ファイルである。また、トラブルシューティングコンテンツには、ＣＡＤデータなどが含まれていてもよい。
【００２２】
なお、第１記憶部１１４および第２記憶部１１５に格納される情報の振り分けは、図１の例に限定されない。例えば、２次元コード画像１５１、２次元コードアラーム対応情報１５２、アラームログファイル１５３およびアラーム付加情報コンテンツ１５４のうち少なくとも１つが第１記憶部１１４に記憶されてもよい。
【００２３】
図２は、実施の形態のプログラマブル表示器１００のハードウェア構成例を示す図である。図２に示すように、実施の形態のプログラマブル表示器１００は、プロセッサ１、ワークメモリ２、不揮発性メモリ３、外部記憶媒体４、第１通信部５、第２通信部６、第３通信部７およびタッチパネル付きディスプレイ８を備える。プロセッサ１は、例えば、ＣＰＵ（Central  Processing  Unit）、マイクロプロセッサである。
【００２４】
図１に示した第１記憶部１１４は、図２に示した不揮発性メモリ３により実現される。不揮発性メモリ３は、例えば、ハードディスクドライブ、ＳＳＤ（Solid  State  Drive）である。図１に示した第２記憶部１１５は、図２に示した外部記憶媒体４により実現される。外部記憶媒体４は、例えば、ハードディスクドライブ、ＳＳＤである。また、外部記憶媒体４を、ＵＳＢ（Universal  Serial  Bus）ホストインタフェースとＵＳＢホストインタフェースに接続されるＵＳＢフラッシュメモリとで構成してもよい。また、外部記憶媒体４を複数備えてもよい。ワークメモリ２は、プロセッサ１による処理の実行のための一時記憶に用いられるメモリであり、例えばＲＡＭ（Random  Access  Memory）である。
【００２５】
図１に示した表示および操作部１１０は、図２に示したタッチパネル付きディスプレイ８により実現される。なお、ここでは、プログラマブル表示器１００は、表示および操作部１１０の替わりに表示部と操作部を備えてもよい。この場合、表示部はディスプレイであり、受信部である操作部はキーボード、マウスなどであってもよい。
【００２６】
図１に示した機器通信Ｉ／Ｆ１１１は、第１通信部５により実現され、図１に示したＥｔｈｅｒｎｅｔＩ／Ｆ１１２は、第２通信部６により実現され、図１に示した上位通信Ｉ／Ｆ１１３は、第３通信部７により実現される。第１通信部５、第２通信部６および第３通信部７は、それぞれ送信機および受信機で構成される。
【００２７】
図１に示した作画データ処理部１２０およびＷｅｂサーバ処理部１３０の機能は、それぞれソフトウェア、ファームウェア、またはソフトウェアとファームウェアとの組み合わせによって実現される。これらのソフトウェア、ファームウェア、またはソフトウェアとファームウェアとの組み合わせはプログラムとして記述され、このプログラムは不揮発性メモリ３に格納されている。プロセッサ１が、不揮発性メモリ３に格納されたプログラムを読み出して実行することにより、作画データ処理部１２０およびＷｅｂサーバ処理部１３０の機能が実現される。
【００２８】
図１の説明に戻り、実施の形態の携帯型端末２０３は、カメラ２２１、解読部２２２、アプリケーション選択部２２３、第１のアプリケーション部２２４−１〜第ｎのアプリケーション部２２４−ｎ、表示部２２５および通信部２２６を備える。なお、ｎは１以上の整数である。カメラ２２１は、プログラマブル表示器１００の表示および操作部１１０に表示された２次元コード画像を撮影する。解読部２２２は、カメラ２２１により撮影された２次元コード画像に基づいて、該２次元コード画像が示す２次元コードを解読して情報すなわちトラブルシューティングコンテンツの格納場所を示す情報を得る。アプリケーション選択部２２３は、解読部２２２により２次元コードを解読して得られた情報に基づいて、電子化されたトラブルシューティングコンテンツを取得し、第１のアプリケーション部２２４−１〜第ｎのアプリケーション部２２４−ｎのなかから、トラブルシューティングコンテンツの閲覧に用いるアプリケーションを選択して起動する。選択されたアプリケーション部は、表示部２２５にトラブルシューティングコンテンツを表示する。これにより、携帯型端末２０３は、トラブルシューティングコンテンツを操作者に提示することができる。なお、以下、トラブルシューティングコンテンツを、単にコンテンツともいう。通信部２２６は、ＡＰ２０４との間の無線通信を行う。
【００２９】
図３は、実施の形態の設定装置２０２の構成例を示す図である。設定装置２０２は、表示オブジェクトを有する表示画面をプログラマブル表示器１００に表示するためのデータである作画データを生成する作画制御部２１０と、作画データをプログラマブル表示器１００へ送信する通信部２１１と、操作者からの入力を受け付ける入力部２１２とを備える。なお、作画データには、一般に、表示オブジェクトとしてアラーム表示の動作に関連するデータ以外も含まれるが、アラーム表示の動作に関連するデータ以外の動作はどのようなものであってもよいため、ここでは本発明にかかるアラーム表示の動作に関連するデータの説明を行い、アラーム表示の動作に関連するデータ以外の説明は省略する。設定装置２０２から送信された作画データは、図１に示したように作画データ１５０として第１記憶部１１４に記憶される。
【００３０】
図４は、実施の形態の設定装置２０２のハードウェア構成例を示す図である。設定装置２０２は、例えばパーソナルコンピュータなどの計算機である。図４に示すように、設定装置２０２は、プロセッサ１１、メモリ１２、通信部１３、入力部１４および表示部１５を備える。受信機である入力部１４は、例えば、キーボード、マウスである。表示部１５は、ディスプレイである。通信部１３は、送信機および受信機で構成される。プロセッサ１１は、例えば、ＣＰＵ、マイクロプロセッサである。メモリ１２は、例えば、ハードディスクドライブ、ＳＳＤ、ＲＡＭである。メモリ１２は、プロセッサ１１が処理を実行する際の一時記憶部としても使用される。
【００３１】
図３に示した作画制御部２１０の機能は、ソフトウェア、ファームウェア、またはソフトウェアとファームウェアとの組み合わせによって実現される。このソフトウェア、ファームウェア、またはソフトウェアとファームウェアとの組み合わせはプログラムとして記述され、このプログラムはメモリ１２に格納されている。プロセッサ１１が、メモリ１２に格納されたプログラムを読み出して実行することにより、作画制御部２１０の機能が実現される。
【００３２】
携帯型端末２０３のハードウェア構成も図４に示した構成と同様である。ただし、携帯型端末２０３が、図４に示した構成のハードウェアとして実現される場合、図１に示した通信部２２６は、無線通信を行う送信機および受信機である通信部１３である。図１に示した表示部２２５は、表示部１５である。図１に示した解読部２２２、アプリケーション選択部２２３、第１のアプリケーション部２２４−１〜第ｎのアプリケーション部２２４−ｎの機能は、それぞれソフトウェア、ファームウェア、またはソフトウェアとファームウェアとの組み合わせによって実現される。このソフトウェア、ファームウェア、またはソフトウェアとファームウェアとの組み合わせはプログラムとして記述され、このプログラムはメモリ１２に格納されている。プロセッサ１１が、メモリ１２に格納されたプログラムを読み出して実行することにより、解読部２２２、アプリケーション選択部２２３、第１のアプリケーション部２２４−１〜第ｎのアプリケーション部２２４−ｎの機能が実現される。
【００３３】
次に、本実施の形態の動作について説明する。実施の形態のプログラマブル表示器１００は、設定装置２０２から作画データを受信し、第１記憶部１１４に記憶する。図５は、実施の形態の第１記憶部１１４に記憶された作画データ１５０の内容例を示す図である。作画データ１５０には、アラーム監視設定３００、アラーム表示設定３２０、アラーム用コメント３３１、およびその他のオブジェクトおよび機能の動作設定３５０が含まれる。アラーム監視設定３００は、アラームの監視および収集方法についての設定情報である。アラーム表示設定３２０は、アラームの表示およびアラームを表示した際に受け付ける操作に関する設定情報である。アラーム用コメント３３１は、アラーム監視設定３００に基づいて表示されるアラームに対応するメッセージである。その他のオブジェクトおよび機能の動作設定３５０は、本発明にかかるアラーム表示動作以外の動作にかかるデータであるため、説明を省略する。
【００３４】
アラーム監視設定３００には個々のアラームの監視条件の定義が格納された情報である個別アラーム設定３１０が含まれる。個別アラーム設定３１０には、アラームを特定するためのアラームＩＤ（Identifier）３１１と、アラームが格納される外部機器２００内のメモリのアドレスである監視対象デバイス３１２と、監視対象デバイス３１２の値からアラームの発生および復旧を判定するための条件であるアラーム発生復旧条件３１３と、アラームに対応するメッセージすなわちコメントを定義した情報であるアラーム別コメント割り付け３１４とが含まれる。個別アラーム設定３１０は、実施の形態のアラーム表示システムが、アラームの監視対象とする製造装置の数分存在する。さらにアラーム監視設定３００には、プログラマブル表示器１００が、外部機器２００から収集したアラームをアラームログファイル１５３に記録するための設定情報であるアラーム保存設定３１５を含む。
【００３５】
図１に示したアラーム収集処理部１２２は、監視対象デバイス３１２に基づいて、外部機器２００からアラームを収集する。そして、収集したアラームとアラーム発生復旧条件３１３とに基づいて該アラームが発生中であるか復旧したかの状態を判断する。アラーム収集処理部１２２は、監視対象デバイス３１２が示すメモリ領域に格納されている値が変化した場合、再度アラームの状態を判定してアラームの状態を更新する。また、アラーム収集処理部１２２は、アラームの状態が変化するごとに、外部機器２００から収集したアラームとアラームの状態とを、時刻とともにアラーム履歴情報であるアラームログファイル１５３に格納する。また、アラームログファイル１５３には、アラームごとに、アラームに対応する製造装置を示す情報も格納される。アラーム収集処理部１２２は、アラームに対応する製造装置を、あらかじめ定められた監視対象デバイス３１２と製造装置との対応を用いて把握することができる。
【００３６】
アラームを表示する際に、アラームに対応して表示するメッセージについては、アラーム用コメント３３１以外に、他のオブジェクトで表示するメッセージおよび銘板の文字列を定義することが一般的である。このため、機能ごとのグループであるコメントグループ３３０を定義し、コメントグループ３３０ごとにアラーム用コメント３３１を管理してもよい。
【００３７】
また、アラーム表示設定３２０は収集したアラームを画面に表示する書式および操作に関する設定である。アラームの表示方法は、収集したアラームを表形式で表示する方法、１行の表示領域内でアラームを順に切り換え表示したり、スクロールしたりして順次表示する方法などを用いることができる。アラーム表示設定３２０には、アラームの表示方法を示す情報が格納される。
【００３８】
図６は、アラームを表形式で表示する場合のアラーム表示部品５００の構成を示した図である。なお、表示部品とは、プログラマブル表示器１００の表示および操作部１１０に表示されるパーツを示している。図６は、アラーム表示部品５００がプログラマブル表示器１００の表示および操作部１１０に表示された状態を示している。アラーム表示部品５００は、上述したアラーム表示設定３２０により定義される。例えば、アラーム表示設定３２０には、アラーム表示部品５００の大きさを示す情報、色を示す情報、アラーム表示部品５００内に表示される各部分の配置を示す情報などが含まれる。また、この例では、アラーム表示部品５００内には、表形式によりアラームログファイルの内容が示されるため、アラームログファイルを識別する情報であるファイル名などが含まれる。アラームログファイルは、上述したように、外部機器２００から取得したアラームが記録されたログファイルである。アラーム表示部品５００には、アラームログファイルに格納される全ての属性を表示してもよいし、アラーム表示設定３２０で設定することにより、アラームログファイルに格納されている属性のうちの一部を表示してもよい。なお、ここで、属性とは、例えば、図６に示したように、発生時刻、アラーム内容、状態などである。表示処理部であるアラーム表示操作処理部１２１が、アラーム表示設定３２０を解釈して、アラーム表示部品５００をプログラマブル表示器１００の表示および操作部１１０に表示するよう制御する。
【００３９】
図６に示した例では、アラーム表示部品５００の最上行には表の各列のタイトルを表示するタイトル表示行５０４が配置される。アラーム表示部品５００の２行目以降には収集されたアラームが表示される、アラーム表示行５０５が配置される。図６に示した例ではアラームに関する属性として、発生時刻５０１、アラームに対応したメッセージであるアラーム内容５０２、アラームの発生または復旧等の状態を示すアラーム状態５０３を、それぞれ列に割り当てている。なお、各列に、図６に例示した項目以外にアラームの復旧時刻および確認時刻など任意の属性を表示するようにしてもよい。また、図６に示した属性の表示順、表の書式は一例であり、これに限定されるものではない。
【００４０】
また、アラーム表示設定３２０には、アラーム表示部品５００に対する操作を規定しておくことができる。アラーム表示部品５００に対する操作としては、アラーム表示行５０５のスクロール、指定時刻の検索表示、行のタッチ操作による選択、選択した行に対するアラームの付加情報の表示、などが挙げられる。例えば、操作者が、表示および操作部１１０を操作することにより、行を選択した場合、表示および操作部１１０を介して行の選択の入力を受け付けたアラーム表示操作処理部１２１は、選択された行を明示するためのカーソル表示５１０を行う。アラーム表示部品５００に表示された行などを選択するためにアラーム表示部品５００に対して行われる操作は、どのような操作であってもよい。例えば、アラーム表示部品５００として表示された行を選択するためにアラーム表示部品５００に対して行う操作は、アラーム表示部品５００の表示領域のタッチ操作、タッチ位置を素早く移動する操作であるフリック操作、アラーム表示部品５００外に配置したタッチスイッチ部品に操作を割り付けておきタッチスイッチ部品がタッチされる操作、などのうち１つ以上である。
【００４１】
図７は、アラーム表示部品５００に対する操作によりアラームが選択された後に表示および操作部１１０に表示される画面の一例を示す図である。図７は、図６に示したカーソル表示５１０がなされている行、すなわちアラームが選択された後の画面の一例を示している。ユーザすなわち操作者は、アラーム表示部品５００に対して操作を実施することにより処置対象すなわち復旧処理の対象とするアラームを選択することができる。アラーム表示操作処理部１２１は、アラーム表示部品５００に表示された行のうちいずれか１つ、すなわちアラームのうちのいずれか１つが選択されたことを示す操作を受け付けると、対応するアラームのアラーム付加情報表示ウィンドウ５２０を表示する。アラーム付加情報表示ウィンドウ５２０には、アラームの発生時刻およびアラームの内容とともに、特定アラーム付加情報提示２次元コード画像５２１が表示される。特定アラーム付加情報提示２次元コード画像５２１は、トラブルシューティングコンテンツであるアラーム付加情報コンテンツ１５４の格納場所が２次元コード化された画像であり、具体的には２次元コード画像１５１を構成する２次元画像ファイルを表示したものである。すなわち、アラーム表示操作処理部１２１は、アラームのうちのいずれか１つが選択されたことを示す操作を受け付けると、２次元コードアラーム対応情報１５２を参照して、選択されたアラームに対応する２次元画像ファイルのファイル名を取得する。そして、アラーム表示操作処理部１２１は、取得したファイル名に対応する２次元画像ファイルに基づいて、アラーム付加情報表示ウィンドウ５２０を表示する。２次元コードアラーム対応情報１５２の詳細については後述する。
【００４２】
図１に示した構成例では、アラーム付加情報コンテンツ１５４は、プログラマブル表示器１００の第２記憶部１１５に格納される。したがって、プログラマブル表示器１００に搭載したＷｅｂサーバ処理部１３０がＷｅｂサーバ機能を提供し、このＷｅｂサーバ機能により、第２記憶部１１５に格納されたアラーム付加情報コンテンツ１５４をＷｅｂ用のコンテンツとして公開できる。Ｗｅｂサーバ機能は一般的なものでよいため詳細な説明は省略する。ここでは特定アラーム付加情報提示２次元コード画像５２１をアラーム付加情報表示ウィンドウ５２０に表示する例を示しているが、アラーム付加情報表示ウィンドウ５２０を用いずに、ベース画面上に特定アラーム付加情報提示２次元コード画像５２１を表示しても良い。
【００４３】
２次元コード画像１５１は、複数の２次元コード画像ファイルで構成される。アラーム付加情報コンテンツ１５４の各コンテンツに対応する２次元コード画像ファイルは、各コンテンツに対応するパスが定められた後に、あらかじめ作成しておく。これらの画像ファイルは、各コンテンツにそれぞれ対応する２次元コード画像に対応する画像ファイルである。２次元コード画像１５１を構成する各２次元コード画像ファイルは、プログラマブル表示器１００により生成されて第２記憶部１１５に格納されてもよいし、設定装置２０２により生成されてプログラマブル表示器１００により受信されて第２記憶部１１５に格納されてもよい。
【００４４】
Ｗｅｂサーバ処理部１３０が提供するＷｅｂサーバ機能によりアラーム付加情報コンテンツ１５４を公開する場合、携帯型端末２０３から第１記憶部１１４または第２記憶部１１５に格納された任意の情報にアクセスされることを防止するため、Ｗｅｂサーバ機能で公開するフォルダは特定のフォルダ以下に限定することが望ましい。
【００４５】
ところで、アラーム付加情報表示ウィンドウ５２０に表示する特定アラーム付加情報提示２次元コード画像５２１は、選択されたアラームに対応したアラーム付加情報コンテンツ１５４へのパスを示す画像である必要がある。このためには、個々のアラームとそれらに対応する２次元コード画像１５１とを対応づける必要がある。実施の形態では、この対応付けのために、プログラマブル表示器１００の第２記憶部１１５に、２次元コードアラーム対応情報１５２を格納する。
【００４６】
図８は、実施の形態の２次元コードアラーム対応情報１５２の構成例を示す図である。ここで、２次元コードアラーム対応情報１５２はファイルであるとする。図８に示した例では、２次元コードアラーム対応情報１５２の先頭には、このファイルが２次元コードアラーム対応情報１５２であることを示すファイル種別識別子６００が格納される。２行目にはその次の行すなわち３行目に格納される情報が２次元コード画像１５１の格納フォルダであることを示す２次元コード情報格納位置識別子６０１が格納される。さらに３行目には、２次元コード画像が格納される２次元コード格納パス６０２が格納される。さらに次の行、すなわち４行目には、定義されたアラーム数を示す行であることを示す定義アラーム数識別子６０３に続けて、定義されたアラーム数である定義アラーム数６０４が格納される。なお、定義されたアラーム数とは、実施の形態にかかるアラーム表示処理において、表示の対象となりうるアラームとして定義されたアラームの数である。
【００４７】
さらに次の行、すなわち５行目には、以降の行に、アラームごとに、アラームの識別子と２次元コード画像ファイルのファイル名との対応が示されることを表示するアラームＩＤ格納位置識別子６０５および２次元コード画像ファイル名格納位置識別子６０６が格納される。６行目以降には、アラームの識別子すなわちアラームＩＤ６１１と、対応する２次元コード画像ファイルのファイル名６１２とが格納される。すなわち、２次元コードアラーム対応情報１５２には、６行目以降、定義されたアラーム数の行数分のアラームＩＤ別２次元コード格納領域６１０が設けられる。
【００４８】
上述したように、２次元コード画像ファイルは、アラーム付加情報コンテンツ１５４の各コンテンツのパスが定められた後に作成される。したがって、２次元コード画像ファイルが作成された際に、２次元コード画像ファイルのファイル名と対応するコンテンツの識別情報とを記録しておく。コンテンツの識別情報としては、コンテンツに対応するパスを用いることができる。また、コンテンツとアラームとの対応は既知であるため、コンテンツの識別情報とアラームＩＤとを対応付けて記録しておく。２次元コード画像ファイルのファイル名とコンテンツの識別情報との対応、およびコンテンツの識別情報とアラームＩＤとの対応とを用いれば、アラームＩＤと２次元コード画像ファイルのファイル名を対応させることができる。２次元コードアラーム対応情報１５２は、上述した情報を用いてあらかじめ作成されて第２記憶部１１５に保持されている。なお、コンテンツまたは定義されるアラームが更新された場合には、２次元コード画像ファイルが新たに作成されるとともに、２次元コードアラーム対応情報１５２も更新される。
【００４９】
２次元コード画像ファイル名６１２として格納する２次元コード画像ファイルのファイル名は複数のアラームＩＤに対して重複して対応することが可能である。例えば、アラームＩＤが異なっていても、アラームに対応する異常または故障の復旧のために用いるコンテンツは同一である場合がある。この場合、アラームごとに２次元コード画像ファイルを作成するのではなく、同一の２次元コード画像ファイルを複数のアラームＩＤに重複して対応させることで、２次元コード画像ファイル数を削減することができる。また、アラームＩＤに対応するコンテンツが無い場合、２次元コード画像ファイルのファイル名の欄には、対応する２次元コード画像ファイルが存在しないことを表す記号、例えば‘−’などを、格納することができる。
【００５０】
なお、２次元コードアラーム対応情報１５２は、ＣＳＶ（Comma  Separated  Values）のようなテキスト形式としてもよいし、各フィールド長を固定的に扱えるバイナリ形式であっても良い。テキスト形式とした場合にはパーソナルコンピュータ等での編集が容易であるという利点があり、バイナリ形式とした場合、情報量が少なくて済み読み出しが高速となるという性能面での利点がある。さらに、アラームＩＤと２次元コード画像ファイルとの対応付けは、アラームＩＤ順にソートされていることが望ましい。
【００５１】
なお、上記した各識別子の内容および情報の配置はあくまで一例であり、識別子の内容およびデータの配置について限定するものではなく、同等の情報を持てばどのようなものであっても構わない。
【００５２】
また、一般に、２次元コード画像１５１は、２次元コードの方向を特定するための方向特定用マーカを格納する領域を有する。図９は、２次元コードの方向を特定するための方向特定用マーカの一例を示す図である。図９に示すように、２次元コード画像１５１は、方向特定用マーカ６５１をもち、方向特定用マーカ６５１以外の領域には符号化したデータを格納する領域があり、一定のサイズの単位領域６５２が格子状に配置されている。図９は、方向特定用マーカ６５１の一例を示すものであり、方向特定用マーカ６５１は図９の例に限定されない。
【００５３】
したがって、実際には２次元コード画像ファイルとして格納される２次元コード画像は、方向特定用マーカ６５１と、データを格納する領域に示された、コンテンツのパスを示す情報が２次元コード化された画像と、によって構成される。図１０は、図９に示した方向特定用マーカ６５１を含む２次元コード画像の一例を示す図である。図１０に示すように、図９に示したデータを格納する領域に、２次元コード化された２値のデータがそれぞれ白または黒として単位領域６５２に表示されたマトリックス状の表示となる。
【００５４】
ところで、プログラマブル表示器１００の表示および操作部１１０に表示された２次元コード画像は、携帯型端末２０３によって読み取り可能とするために、単位領域６５２のサイズが画面上で一定サイズ以上、例えば単位領域一辺が５ｍｍ以上になるよう、複数画素で単位領域を表示することになる。しかしながら、このようにして生成された２次元画像に対して単位領域６５２を複数画素として保持すると情報量が大きくなる。このため、２次元コード画像ファイルを記憶するための記憶容量も大きくなり、画像の表示処理の効率が悪くなる。したがって、単位領域６５２すなわち１情報単位を１画素として２次元コード画像を画像ファイル化し、表示する際に拡大して表示すると、記憶容量も小さくすることができ、画像の表示処理の効率も向上させることができる。ただし、２次元コード画像１５１を格納する第２記憶部１１５の容量が十分な場合、単位領域６５２を１画素とする必要は無く、拡大不要なように単位領域６５２を複数画素とした２次元コード画像ファイルを生成してもおいてもよい。
【００５５】
図１１は、表示および操作部１１０における２次元コード画像表示処理手順の一例を示すフローチャートである。２次元コード画像表示処理とは、アラーム表示操作処理部１２１がアラームの選択を受け付けてから２次元コード画像を表示および操作部１１０に表示するまでの処理である。ここでは事前にアラーム表示部品５００に対する操作で、特定のアラームが選択され、アラーム付加情報表示ウィンドウ５２０を表示する操作がなされているものとする。
【００５６】
まず、アラーム表示操作処理部１２１は、アラーム表示部品５００で選択されたアラームのアラームＩＤを特定する（ステップＳ１）。次に、アラーム表示操作処理部１２１は、選択されたアラームＩＤをキーとして２次元コードアラーム対応情報１５２内を検索し（ステップＳ２）、選択されたアラームＩＤに対応する情報が２次元コードアラーム対応情報１５２に存在するかを判断する（ステップＳ３）。選択されたアラームＩＤに対応する情報が２次元コードアラーム対応情報１５２に存在した場合（ステップＳ３  Ｙｅｓ）、アラーム表示操作処理部１２１は、選択されたアラームＩＤに対応する２次元コード画像ファイルのファイル名が２次元コードアラーム対応情報１５２に存在するかを検索する（ステップＳ４）。２次元コードアラーム対応情報１５２に存在する場合とは、図８で説明した２次元コード画像ファイルのファイル名が格納される領域に２次元コード画像ファイルが存在しないことを表す記号以外が格納されていることを示す。２次元コード画像ファイルのファイル名が２次元コードアラーム対応情報１５２に存在する場合（ステップＳ５  Ｙｅｓ）、選択されたアラームＩＤに対応する２次元コード画像ファイルのファイル名のファイルを読み出し、アラーム表示設定に基づいて、２次元コード画像を表示および操作部１１０に表示する（ステップＳ６）。
【００５７】
なお、ステップＳ３において選択されたアラームＩＤに対応する情報が２次元コードアラーム対応情報１５２に存在しないと判断された場合（ステップＳ３  Ｎｏ）、ステップＳ５においてアラームＩＤに対応する２次元コード画像ファイルのファイル名が存在しない場合（ステップＳ５  Ｎｏ）、エラーと判定して処理を終了する。この処理例ではエラーと判定された場合、表示および操作部１１０には何も表示されないが、エラーと判定された場合に、選択されたアラームに対するコンテンツが無いことを示す任意の画像またはメッセージを表示および操作部１１０に表示しても良い。
【００５８】
次に、携帯型端末２０３における動作について説明する。図１２は、携帯型端末２０３における２次元コード画像に対する処理手順の一例を示すフローチャートである。図１２では、２次元コード画像に対する処理として、携帯型端末２０３が、特定アラーム付加情報提示２次元コード画像５２１を読み取り、対応するコンテンツを表示するまでの処理を示す。
【００５９】
特定アラーム付加情報提示２次元コード画像５２１がプログラマブル表示器１００の画面に表示された後、携帯型端末２０３の入力部２１２が操作者からの入力を受け付けると、２次元コードを読み取るアプリケーションが起動される（ステップＳ１１）。具体的には、解読部２２２が、入力部２１２から２次元コードを読み取るアプリケーションの起動を指示する入力を受け付けたことを通知されると、動作を開始する。なお、２次元コードを読み取るアプリケーションは解読部２２２が動作することにより実現されるアプリケーションである。
【００６０】
次に、携帯型端末２０３は、アラーム付加情報提示２次元コード画像５２１から２次元コードを読み取る（ステップＳ１２）。具体的には、カメラ２２１が特定アラーム付加情報提示２次元コード画像５２１を撮影し、解読部２２２が、カメラ２２１により得られた画像から２次元コードを認識し、２次元コードを復号して、２次元コード読み取りの結果、すなわちアラーム付加情報コンテンツ１５４内のコンテンツへのパスを得る。アラーム付加情報コンテンツ１５４内のコンテンツへのパスを、以下、リンク先ともいう。解読部２２２はアプリケーション選択部２２３へ得られたリンク先を通知する。リンク先がファイル名まで示されている場合には、アプリケーションを１つ選択できるが、ディレクトリ名で示されている場合には、ディレクトリ内に存在するコンテンツのうち少なくとも１つに対応するアプリケーション部を起動する。
【００６１】
次に、アプリケーション選択部２２３が、２次元コード読み取りにより得られたリンク先へアクセス可能であるか、およびリンク先に対応するアプリケーションが設定されているかを判定する（ステップＳ１３）。なお、携帯型端末２０３では、一度、リンク先からコンテンツをダウンロードし、ダウンロードしたコンテンツを読み出すアプリケーションを選択した場合、選択したアプリケーションとリンク先との対応付けを保持しておくとする。これにより、この対応付けがなされているリンク先は、該リンク先に対応するアプリケーションが設定されていることになる。
【００６２】
リンク先にアクセス可能で、かつリンク先に対応するアプリケーションが設定されている場合（ステップＳ１３  可能かつ対応するアプリケーション関連付け有り）、アプリケーション選択部２２３は、リンク先からコンテンツをダウンロードし、該コンテンツに対応するアプリケーションを選択して起動させる（ステップＳ１４）。具体的には、アプリケーション選択部２２３は、通信部２２６へリンク先を指示することにより、通信部２２６、ＡＰ２０４、スイッチングハブ２０１、およびＥｔｈｅｒｎｅｔＩ／Ｆ１１２経由で、プログラマブル表示器１００からコンテンツを取得する。また、アプリケーション選択部２２３は、第１アプリケーション部２４４−１〜第ｎアプリケーション部２４４−ｎのうちから該コンテンツに対応するアプリケーションを実現するアプリケーション部を選択して起動を指示する。起動を指示されたアプリケーション部は、コンテンツを読み出して、コンテンツに応じた形式および方法で表示部２２５へ表示する。これにより、携帯型端末２０３はコンテンツに応じた形式および方法で表示部２２５にコンテンツを表示することができる。
【００６３】
ステップＳ１３で、リンク先にアクセス可能で、かつリンク先に対応するアプリケーションが設定されていない場合（ステップＳ１３  可能かつ対応するアプリケーション関連付け無し）、アプリケーション選択部２２３が、リンク先からコンテンツをダウンロード後、コンテンツを表示するためのアプリケーションを選択して、起動する（ステップＳ１５）。例えば、ダウンロードしたコンテンツのファイル名の拡張子に基づいて、対応するアプリケーションを識別可能である。
【００６４】
ステップＳ１３で、リンク先へのアクセスができない場合（ステップＳ１３  アクセス不可）、携帯型端末２０３が標準的に用意する仕組みに従い表示部２２５にエラー表示を行い（ステップＳ１６）、処理を終了する。なお、リンク先へのアクセスができない場合には、２次元コードの読み取りに失敗してリンク先が取得できない場合も含む。
【００６５】
なお、アプリケーション選択部２２３を実現するためのプログラムとして、例えば、Ｗｅｂを閲覧可能なソフトウェアであるＷｅｂブラウザのプログラムなどを用いることができる。
【００６６】
以上に例示した構成によれば、生産設備などを制御するＰＬＣおよび製造装置を備える制御システムなどにおいて、製造設備に関するアラームをアラーム表示装置の一形態であるプログラマブル表示器１００により監視し、アラームへの対処方法を示す情報を可搬性のある携帯型端末２０３により迅速に提示することができる。これにより、アラームに対応する障害または故障からの復旧のために用いられる情報を迅速にユーザに提示することができる。アラームの監視を、携帯型端末２０３で実施する方法も考えられるが、携帯型端末２０３は常時制御システムに接続しているわけではないのが一般的であるため、アラームを検出できない可能性がある。これに対して、実施の形態の構成では、アラームの監視は制御システムに常時接続したプログラマブル表示器１００で実施するため、アラームの不検出を防止することができる。
【００６７】
また、アラームに対する措置は、一般にプログラマブル表示器１００を据え付けた操作盤から離れた場所で実施されることが多いが、実施の形態の構成によれば、携帯型端末２０３で作業手順をはじめとしたコンテンツを任意の場所で確認できる。このため、作業現場に印刷物のマニュアルまたは仕様書を持ち込むことなく、処置方法を携帯型端末上で確認しながら作業できるため、作業効率を向上できる。
【００６８】
また、アラームＩＤと２次元コード画像ファイルのファイル名との対応である紐付け情報を作画データに含めることも考えられるが、この場合、各アラームに対応するコンテンツが追加または変更になるたびに作画データを更新する必要がある。作画データの更新は、通常、アラーム表示装置であるプログラマブル表示器の再起動または一時停止を伴うため、連続稼働する装置においては、極力再起動を回避できることが望ましい。実施の形態では、アラームＩＤと２次元コード画像ファイルのファイル名である紐付け情報を２次元コードアラーム対応情報１５２として作画データとは独立したファイルで管理している。このため、アラーム付加情報コンテンツの変更または追加があった際も、２次元コードアラーム対応情報を更新するのみでよく、アラーム表示装置および制御システムへの影響を与えないという利点がある。
【００６９】
なお、以上の説明では、本発明にかかるアラーム表示装置がプログラマブル表示器１００である例を説明した。しかしながら、本発明にかかるアラーム表示装置はプログラマブル表示器１００に限定されず、たとえば装置自身に画面や入力デバイスを持たず、外付けしたディスプレイやマウス等の入力デバイスで操作を行う、専用のコントローラ装置のようなものであっても良い。
【００７０】
また、プログラマブル表示器１００にアラーム付加情報コンテンツ１５４を格納する替わりに、外部のＷｅｂサーバに格納してもよい。図１３は、アラーム付加情報コンテンツを外部のサーバ装置であるＷｅｂサーバ２０５に格納する場合のアラーム表示システムの構成例を示す図である。図１３に示すアラーム表示システム７００ａでは、プログラマブル表示器１００ａは、プログラマブル表示器１００からＷｅｂ処理部１３０およびアラーム付加情報コンテンツ１５４を削除した構成を有する。また、Ｗｅｂサーバ２０５は、Ｗｅｂサーバ処理部２３１を備え、内部の記憶部にアラーム付加情報コンテンツ１５４が記憶されている。Ｗｅｂサーバ２０５のハードウェア構成は、例えば、図４に示した構成である。Ｗｅｂサーバ２０５は、Ｗｅｂサーバ処理部２３１Ｗｅｂサーバとしての機能を実現するための処理部である。図１３では、図１と同様の機能を有する構成要素は、図１と同一の符号を付している。図１３の構成例では、２次元コード画像として表示する情報は、コンテンツのパス、すなわちリンク先をＷｅｂサーバ２０５のアドレスおよびパスを示すＵＲＬとする。図１３に示した構成例におけるアラーム表示システムの動作は、リンク先がＷｅｂサーバ２０５となる以外は、図１に示したアラーム表示システムの動作と同様である。
【００７１】
また、プログラマブル表示器１００にアラーム付加情報コンテンツ１５４を格納する替わりに、携帯型端末２０３の内蔵の記憶部に格納してもよい。図１４は、アラーム付加情報コンテンツを外部の携帯型端末２０３に格納する場合のアラーム表示システムの構成例を示す図である。図１４に示すアラーム表示システム７００ｂのプログラマブル表示器１００ａは、図１３に示したプログラマブル表示器１００ａと同様の構成を有する。また、携帯型端末２０３ａは、内蔵の記憶部にアラーム付加情報コンテンツ１５４を記憶している。なお、内蔵の記憶部にアラーム付加情報コンテンツ１５４を記憶する替わりに、携帯型端末２０３が読み取り可能な外部媒体にアラーム付加情報コンテンツ１５４を記憶してもよい。図１４では、図１と同様の機能を有する構成要素は、図１と同一の符号を付している。図１４の構成例では、２次元コード画像として表示する情報は、携帯型端末２０３内のコンテンツのパスとする。図１４に示した構成例におけるアラーム表示システムの動作は、リンク先が携帯型端末２０３内のコンテンツのパスとなる以外は、図１に示したアラーム表示システムの動作と同様である。
【００７２】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００７３】
１００，１００ａ  プログラマブル表示器、１１１  機器通信Ｉ／Ｆ、１１２  ＥｔｈｅｒｎｅｔＩ／Ｆ、１１３  上位通信Ｉ／Ｆ、１２０  作画データ処理部、１２１  アラーム表示操作処理部、１２２  アラーム収集処理部、１３０  Ｗｅｂサーバ処理部、１１４  第１記憶部、１１５  第２記憶部、２００  外部機器、２０２  設定装置、２０３，２０３ａ  携帯型端末、２０５  Ｗｅｂサーバ。
【図１】
2017094051.tif 000003
【図２】
2017094051.tif 000004
【図３】
2017094051.tif 000005
【図４】
2017094051.tif 000006
【図５】
2017094051.tif 000007
【図６】
2017094051.tif 000008
【図７】
2017094051.tif 000009
【図８】
2017094051.tif 000010
【図９】
2017094051.tif 000011
【図１０】
2017094051.tif 000012
【図１１】
2017094051.tif 000013
【図１２】
2017094051.tif 000014
【図１３】
2017094051.tif 000015
【図１４】
2017094051.tif 000016
【手続補正書】
【提出日】平成28年7月22日(2016.7.22)
【手続補正１】
【補正対象書類名】特許請求の範囲
【補正対象項目名】全文
【補正方法】変更
【補正の内容】
【特許請求の範囲】
【請求項１】
表示部と、
被制御装置を制御する制御装置からアラームを収集するアラーム収集処理部と、
前記アラーム収集処理部により収集されたアラームのうち処置対象とするアラームの選択を受け付ける操作部と、
選択されたアラームに対応付けられた電子データの格納場所であるディレクトリまたはフォルダを示す情報が２次元コード化された画像を前記表示部へ表示する表示処理部と、
を備えることを特徴とするアラーム表示装置。
【請求項２】
前記２次元コード化された画像が電子化された画像ファイルである２次元コード画像ファイルと、前記２次元コード画像ファイルとアラームとを対応付ける対応情報と、を記憶する記憶部、
を備え、
前記表示処理部は、前記対応情報に基づいて前記選択されたアラームに対応する前記２次元コード画像ファイルを読み出して、前記表示部へ表示することを特徴とする請求項１に記載のアラーム表示装置。
【請求項３】
前記２次元コード化された画像が電子化された画像ファイルである２次元コード画像ファイルと、前記２次元コード画像ファイルとアラームとを対応付ける対応情報と、を記憶する記憶部、
を備え、
前記２次元コード画像ファイルは、１画素を１情報単位とする画像ファイルであり、
前記表示処理部は、前記２次元コード画像ファイルを読み出して、読み出した前記２次元コード画像ファイルに対応する画像を拡大して前記表示部へ表示することを特徴とする請求項１に記載のアラーム表示装置。
【請求項４】
外部の設定装置によって設定される前記アラーム表示装置の表示および動作を定義する作画データに基づいて動作するプログラマブル表示器であることを特徴とする請求項１から３のいずれか１つに記載のアラーム表示装置。
【請求項５】
前記電子データを記憶し、
前記電子データの格納場所を示す情報は、前記アラーム表示装置のアドレスと前記電子データの前記アラーム表示装置内の格納場所を示す情報とを含むことを特徴とする請求項１から４のいずれか１つに記載のアラーム表示装置。
【請求項６】
アラーム表示装置と、被制御装置を制御する制御装置と、携帯型端末とを備えるアラーム表示システムであって、
前記アラーム表示装置は、
表示部と、
前記制御装置からアラームを収集するアラーム収集処理部と、
前記アラーム収集処理部により収集されたアラームのうち処置対象とするアラームの選択を受け付ける操作部と、
選択されたアラームに対応付けられた電子データの格納場所であるディレクトリまたはフォルダを示す情報が２次元コード化された画像を前記表示部へ表示する表示処理部と、
を備え、
前記携帯型端末は、
前記２次元コード化された画像を撮影するカメラと、
前記カメラにより撮影された画像に基づいて２次元コードを復号して前記電子データの格納場所を取得する解読部と、
前記解読部により取得された前記電子データの格納場所から前記電子データを取得し、前記電子データに対応するアプリケーションを起動させるアプリケーション選択部と、
を備えることを特徴とするアラーム表示システム。
【請求項７】
前記アラーム表示装置は、前記電子データを記憶する記憶部を備え、
前記電子データの格納場所を示す情報は、前記アラーム表示装置のアドレスと前記アラーム表示装置内の前記電子データの前記アラーム表示装置内の格納場所を示す情報とを含むことを特徴とする請求項６に記載のアラーム表示システム。
【請求項８】
サーバ装置を備え、
前記サーバ装置は、前記電子データを記憶する記憶部を備え、
前記電子データの格納場所を示す情報は、前記サーバ装置のアドレスと前記サーバ装置内の前記電子データの前記サーバ装置内の格納場所を示す情報とを含むことを特徴とする請求項６に記載のアラーム表示システム。
【請求項９】
前記携帯型端末は、前記電子データを記憶する記憶部を備え、
前記電子データの格納場所であるディレクトリまたはフォルダを示す情報は、前記携帯型端末内の前記電子データの格納場所を示す情報を含むことを特徴とする請求項６に記載のアラーム表示システム。
【請求項１０】
アラームを収集する第１のステップと、
収集されたアラームのうち処置対象とするアラームの選択を受け付ける第２のステップと、
前記第２のステップで選択されたアラームに対応付けられた電子データの格納場所であるディレクトリまたはフォルダを示す情報を２次元コード化した画像を表示する第３のステップと、
を含むことを特徴とするアラーム表示方法。
【手続補正書】
【提出日】平成29年1月19日(2017.1.19)
【手続補正１】
【補正対象書類名】特許請求の範囲
【補正対象項目名】全文
【補正方法】変更
【補正の内容】
【特許請求の範囲】
【請求項１】
表示部と、
被制御装置を制御するプログラマブルロジックコントローラ内のメモリからアラームを収集するアラーム収集処理部と、
前記アラーム収集処理部により収集されたアラームのうち処置対象とするアラームの選択を受け付ける操作部と、
選択されたアラームに対応付けられた電子データの格納場所であるディレクトリまたはフォルダを示す情報が２次元コード化された画像を前記表示部へ表示する表示処理部と、
を備え、
前記電子データは、プログラマブル表示器のＷｅｂサーバ機能により提供されることを特徴とするアラーム表示装置。
【請求項２】
前記２次元コード化された画像が電子化された画像ファイルである２次元コード画像ファイルと、前記２次元コード画像ファイルとアラームとを対応付ける対応情報と、を記憶する記憶部、
を備え、
前記表示処理部は、前記対応情報に基づいて前記選択されたアラームに対応する前記２次元コード画像ファイルを読み出して、前記表示部へ表示することを特徴とする請求項１に記載のアラーム表示装置。
【請求項３】
前記２次元コード化された画像が電子化された画像ファイルである２次元コード画像ファイルと、前記２次元コード画像ファイルとアラームとを対応付ける対応情報と、を記憶する記憶部、
を備え、
前記２次元コード画像ファイルは、１画素を１情報単位とする画像ファイルであり、
前記表示処理部は、前記２次元コード画像ファイルを読み出して、読み出した前記２次元コード画像ファイルに対応する画像を拡大して前記表示部へ表示することを特徴とする請求項１に記載のアラーム表示装置。
【請求項４】
外部の設定装置によって設定される前記アラーム表示装置の表示および動作を定義する作画データに基づいて動作するプログラマブル表示器であることを特徴とする請求項１から３のいずれか１つに記載のアラーム表示装置。
【請求項５】
前記電子データを記憶し、
前記電子データの格納場所であるディレクトリまたはフォルダを示す情報は、前記アラーム表示装置のアドレスと前記電子データの前記アラーム表示装置内の格納場所を示す情報とを含むことを特徴とする請求項１から４のいずれか１つに記載のアラーム表示装置。
【請求項６】
アラーム表示装置と、被制御装置を制御するプログラマブルロジックコントローラと、携帯型端末とを備えるアラーム表示システムであって、
前記アラーム表示装置は、
表示部と、
前記プログラマブルロジックコントローラ内のメモリからアラームを収集するアラーム収集処理部と、
前記アラーム収集処理部により収集されたアラームのうち処置対象とするアラームの選択を受け付ける操作部と、
選択されたアラームに対応付けられた電子データの格納場所であるディレクトリまたはフォルダを示す情報が２次元コード化された画像を前記表示部へ表示する表示処理部と、
を備え、
前記携帯型端末は、
前記２次元コード化された画像を撮影するカメラと、
前記カメラにより撮影された画像に基づいて２次元コードを復号して前記電子データの格納場所を取得する解読部と、
前記解読部により取得された前記電子データの格納場所から前記電子データを取得し、前記電子データに対応するアプリケーションを起動させるアプリケーション選択部と、
を備え、
前記電子データは、プログラマブル表示器のＷｅｂサーバ機能により前記携帯型端末へ提供されることを特徴とするアラーム表示システム。
【請求項７】
前記アラーム表示装置は、前記電子データを記憶する記憶部を備え、
前記電子データの格納場所であるディレクトリまたはフォルダを示す情報は、前記アラーム表示装置のアドレスと前記アラーム表示装置内の前記電子データの前記アラーム表示装置内の格納場所を示す情報とを含むことを特徴とする請求項６に記載のアラーム表示システム。
【請求項８】
前記携帯型端末は、前記電子データを記憶する記憶部を備え、
前記電子データの格納場所であるディレクトリまたはフォルダを示す情報は、前記携帯型端末内の前記電子データの格納場所を示す情報を含むことを特徴とする請求項６に記載のアラーム表示システム。
【請求項９】
アラーム表示装置が、
被制御装置を制御するプログラマブルロジックコントローラ内のメモリからアラームを収集する第１のステップと、
収集されたアラームのうち処置対象とするアラームの選択を受け付ける第２のステップと、
前記第２のステップで選択されたアラームに対応付けられた電子データの格納場所であるディレクトリまたはフォルダを示す情報を２次元コード化した画像を表示する第３のステップと、
を含み、
前記電子データは、プログラマブル表示器のＷｅｂサーバ機能により提供されることを特徴とするアラーム表示方法。
【国際調査報告】
2017094051.tif 000017
2017094051.tif 000018
2017094051.tif 000019
2017094051.tif 000020